(57)【特許請求の範囲】
【請求項１】
ユーザーによる操作を受け付ける操作受付手段と、
サブ画面と関連付けられた遷移キーを含むメイン画面を表示するメイン画面表示手段と、
前記メイン画面が表示される段階で、前記メイン画面に重畳して前記メイン画面中の所定の位置に、文字列を含む電子付箋を表示する電子付箋表示手段と、
前記操作受付手段により受け付けられた操作が前記表示されたメイン画面に含まれる遷移キーを指示する操作の場合、前記遷移キーに関連付けられたサブ画面を前記メイン画面に重畳して表示するサブ画面表示手段と、を備え、
前記電子付箋表示手段は、前記サブ画面と前記電子付箋とが重なる場合は、前記電子付箋を前記サブ画面と重なる部分で前記サブ画面に重畳して表示する優先表示手段と、
前記電子付箋に含まれる文字列が前記サブ画面に関連する名称の文字列の全てを含む場合、前記サブ画面が表示されることに応じて、前記電子付箋の表示を中止する表示時中止手段を含む、画像処理装置。
【請求項２】
前記サブ画面に関連する名称は、前記サブ画面に関連付けられた前記遷移キーに付された名称を含む、請求項１に記載の画像処理装置。
【請求項３】
前記サブ画面に関連する名称は、前記サブ画面に含まれる設定値を設定するための設定キーに付された名称、前記設定値を示す設定項目に付された名称を、含む請求項１または２に記載の画像処理装置。
【請求項４】
前記受け付けられた操作に従って所定の処理を実行する処理実行手段をさらに備え、
前記電子付箋表示手段は、前記メイン画面または前記サブ画面が、前記処理実行手段が前記所定の処理を実行するための設定値を表示するための設定領域を含む設定画面であって、前記電子付箋に含まれる文字列が、前記操作受付手段により受け付けられた設定値の文字列の全てを含む場合、前記電子付箋の表示を中止する設定後中止手段と、をさらに含む、請求項１または２に記載の画像処理装置。
【請求項５】
ユーザーによる操作を受け付ける操作受付手段と、
前記受け付けられた操作に従って所定の処理を実行する処理実行手段と、
前記処理実行手段が前記所定の処理を実行するための設定値を表示するための設定領域を含む設定画面を表示する設定画面表示手段と、
文字列を含む電子付箋を前記表示された設定画面に重畳して表示する電子付箋表示手段と、を備え、
前記電子付箋表示手段は、前記電子付箋に含まれる文字列が、前記操作受付手段により受け付けられた設定値の文字列の全てを含む場合、前記電子付箋の表示を中止する設定後中止手段を含む、画像処理装置。
【請求項６】
前記操作受付手段により受け付けられた操作に従って電子付箋を登録する電子付箋登録手段と、
前記設定後中止手段により電子付箋の表示が中止された後に前記処理実行手段により前記所定の処理が実行されることに応じて、前記登録された電子付箋を削除する削除手段と、をさらに備えた請求項５に記載の画像処理装置。
【請求項７】
前記操作受付手段により受け付けられた操作を入力するユーザーを検出するユーザー検出手段をさらに備え、
前記削除手段は、前記電子付箋登録手段により登録された電子付箋を登録した第１のユーザーと、前記処理実行手段に前記所定の処理の実行を指示した第２のユーザーとが異なることを条件に、前記電子付箋を削除する請求項６に記載の画像処理装置。
【請求項８】
ユーザーによる操作を受け付ける操作受付手段を備えた画像処理装置で実行される操作支援方法であって、
サブ画面と関連付けられた遷移キーを含むメイン画面を表示するメイン画面表示ステップと、
前記メイン画面が表示される段階で、前記メイン画面に重畳して前記メイン画面中の所定の位置に、文字列を含む電子付箋を表示する電子付箋表示ステップと、
前記操作受付手段によって受け付けられた操作が前記表示されたメイン画面に含まれる遷移キーを指示する操作の場合、前記遷移キーに関連付けられたサブ画面を前記メイン画面に重畳して表示するサブ画面表示ステップと、を含み、
前記電子付箋表示ステップは、前記サブ画面と前記電子付箋とが重なる場合は、前記電子付箋を前記サブ画面と重なる部分で前記サブ画面に重畳して表示する優先表示ステップと、
前記電子付箋に含まれる文字列が前記サブ画面に関連する名称の文字列の全てを含む場合、前記サブ画面が表示されることに応じて、前記電子付箋の表示を中止する表示時中止ステップを含む、操作支援方法。
【請求項９】
ユーザーによる操作を受け付ける操作受付手段と、
前記受け付けられた操作に従って所定の処理を実行する処理実行手段と、を備えた画像処理装置で実行される操作支援方法であって、
前記処理実行手段が前記所定の処理を実行するための設定値を表示する設定領域を含む設定画面を表示する設定画面表示ステップと、
文字列を含む電子付箋を前記表示された設定画面に重畳して表示する電子付箋表示ステップと、を含み、
前記電子付箋表示ステップは、前記電子付箋に含まれる文字列が、前記操作受付手段により受け付けられた設定値の文字列の全てを含む場合、前記電子付箋の表示を中止する設定後中止ステップを含む、操作支援方法。
【請求項１０】
ユーザーによる操作を受け付ける操作受付手段を備えた画像処理装置を制御するコンピュータで実行される操作支援プログラムであって、
サブ画面と関連付けられた遷移キーを含むメイン画面を表示するメイン画面表示ステップと、
前記メイン画面が表示される段階で、前記メイン画面に重畳して前記メイン画面中の所定の位置に、文字列を含む電子付箋を表示する電子付箋表示ステップと、
前記操作受付手段によって受け付けられた操作が前記表示されたメイン画面に含まれる遷移キーを指示する操作の場合、前記遷移キーに関連付けられたサブ画面を前記メイン画面に重畳して表示するサブ画面表示ステップと、を前記コンピュータに実行させ、
前記電子付箋表示ステップは、前記サブ画面と前記電子付箋とが重なる場合は、前記電子付箋を前記サブ画面と重なる部分で前記サブ画面に重畳して表示する優先表示ステップと、
前記電子付箋に含まれる文字列が前記サブ画面に関連する名称の文字列の全てを含む場合、前記サブ画面が表示されることに応じて、前記電子付箋の表示を中止する表示時中止ステップと、を含む操作支援プログラム。
【請求項１１】
ユーザーによる操作を受け付ける操作受付手段と、
前記受け付けられた操作に従って所定の処理を実行する処理実行手段と、を備えた画像処理装置を制御するコンピュータで実行される操作支援プログラムであって、
前記処理実行手段が前記所定の処理を実行するための設定値を表示する設定領域を含む設定画面を表示する設定画面表示ステップと、
文字列を含む電子付箋を前記表示された設定画面に重畳して表示する電子付箋表示ステップと、を前記コンピュータに実行させ、
前記電子付箋表示ステップは、前記電子付箋に含まれる文字列が、前記操作受付手段により受け付けられた設定値の文字列の全てを含む場合、前記電子付箋の表示を中止する設定後中止ステップを含む、操作支援プログラム。
【発明の詳細な説明】
【技術分野】
【０００１】
この発明は、画像処理装置、操作支援方法、および操作支援プログラムに関し、特に、操作画面に重畳して別の画像を表示可能な画像処理装置、その画像処理装置で実行される操作支援方法、および操作支援プログラムに関する。
【背景技術】
【０００２】
複合機（以下「ＭＦＰ」という）で代表される画像形成装置は、ユーザーインターフェースーとして画像を表示する表示部を備えており、この表示部に、ユーザーの操作を容易にするための情報を表示する技術が開発されている。例えば、特開２００６−１３９１８６号公報には、保有する機能の項目を示す操作画面を表示する表示部と、操作画面に対してメッセージを入力するためのキーボードと、メッセージの操作画面上における表示位置を設定するためのマウスと、メッセージ及び表示位置を記憶する記憶部と、メッセージ及び表示位置の設定入力時における画面コードと、操作画面で設定入力されたメッセージ及び表示位置とを対応付けた情報を付箋データとして記憶部に登録させ、表示部に表示される操作画面の画面コードに対応する付箋データを記憶部から読み出し、読み出した付箋データに対応する付箋画像を操作画面上に表示させる制御部を備えた画像形成装置が記載されている。
【０００３】
一方、付箋データを、操作画面が表示された状態で常に表示したのでは、不要な情報までもが表示されてしまうといった問題がある。
【特許文献１】特開２００６−１３９１８６号公報
【発明の概要】
【発明が解決しようとする課題】
【０００４】
この発明の目的の一つは、電子付箋と操作画面とを関連付けることなく、操作画面が表示さるタイミングで電子付箋を表示しないようにすることが可能な画像処理装置を提供することである。
【０００５】
この発明の他の目的は、設定値を記憶または伝達するとともに、設定値が設定されるタイミングで電子付箋を表示しないようにすることが可能な画像処理装置を提供することである。
【０００６】
この発明のさらに他の目的の一つは、電子付箋と操作画面とを関連付けることなく、操作画面が表示さるタイミングで電子付箋を表示しないようにすることが可能な操作支援方法および操作支援プログラムを提供することである。
【０００７】
この発明のさらに他の目的は、設定値を記憶または伝達するとともに、設定値が設定されるタイミングで電子付箋を表示しないようにすることが可能な操作支援方法および操作支援プログラムを提供することである。
【課題を解決するための手段】
【０００８】
上述した目的を達成するためにこの発明のある局面によれば、画像処理装置は、ユーザーによる操作を受け付ける操作受付手段と、サブ画面と関連付けられた遷移キーを含むメイン画面を表示するメイン画面表示手段と、メイン画面が表示される段階で、メイン画面に重畳してメイン画面中の所定の位置に、文字列を含む電子付箋を表示する電子付箋表示手段と、操作受付手段により受け付けられた操作が表示されたメイン画面に含まれる遷移キーを指示する操作の場合、遷移キーに関連付けられたサブ画面をメイン画面に重畳して表示するサブ画面表示手段と、を備え、電子付箋表示手段は、サブ画面と電子付箋とが重なる場合は、電子付箋をサブ画面と重なる部分でサブ画面に重畳して表示する優先表示手段と、電子付箋に含まれる文字列がサブ画面に関連する名称の文字列の全てを含む場合、サブ画面が表示されることに応じて、電子付箋の表示を中止する表示時中止手段を含む。
【０００９】
この局面に従えば、サブ画面と関連付けられた遷移キーを含むメイン画面が表示される段階で、メイン画面に重畳してメイン画面中の所定の位置に電子付箋が表示され、メイン画面に含まれる遷移キーが指示されると、遷移キーに関連付けられたサブ画面がメイン画面に重畳して表示され、電子付箋に含まれる文字列がサブ画面に関連する名称の文字列の全てを含む場合、サブ画面が表示されるタイミングで、電子付箋が表示されないようにすることができる。また、電子付箋に含まれる文字列に基づいてその電子付箋に関連するサブ画面を特定するので、電子付箋と操作画面とを関連付ける必要がない。このため、電子付箋と操作画面とを関連付けることなく、操作画面が表示さるタイミングで電子付箋を表示しないようにすることが可能な画像処理装置を提供することができる。
【００１０】
好ましくは、サブ画面に関連する名称は、サブ画面に関連付けられた遷移キーに付された名称を含む。
【００１１】
この局面に従えば、サブ画面に関連付けられた遷移キーに付された名称の文字列を含む電子付箋の表示を、そのサブ画面が表示されるタイミングで中止することができる。
【００１２】
好ましくは、サブ画面に関連する名称は、サブ画面に含まれる設定値を設定するための設定キーに付された名称、設定値を示す設定項目に付された名称を、含む。
【００１３】
この局面に従えば、サブ画面に含まれる設定値を設定するための設定キーに付された名称の文字列、または設定値を示す設定項目に付された名称の文字列を含む電子付箋の表示を、そのサブ画面が表示されるタイミングで中止することができる。
【００１４】
好ましくは、受け付けられた操作に従って所定の処理を実行する処理実行手段をさらに備え、電子付箋表示手段は、メイン画面またはサブ画面が、処理実行手段が所定の処理を実行するための設定値を表示するための設定領域を含む設定画面であって、電子付箋に含まれる文字列が、操作受付手段により受け付けられた設定値の文字列の全てを含む場合、電子付箋の表示を中止する設定後中止手段と、をさらに含む。
【００１５】
この局面に従えば、電子付箋に含まれる文字列が、受け付けられた設定値の文字列の全てを含む場合、電子付箋の表示が中止される。このため、設定値が設定されるタイミングで電子付箋の表示を中止することができる。また、電子付箋が設定値の文字列を含むので、設定されるべき設定値を表示することができる。電子付箋を用いて設定値を記憶または伝達することができる。
【００１６】
この発明の他の局面によれば、画像処理装置は、ユーザーによる操作を受け付ける操作受付手段と、受け付けられた操作に従って所定の処理を実行する処理実行手段と、処理実行手段が所定の処理を実行するための設定値を表示する設定領域を含む設定画面を表示する設定画面表示手段と、文字列を含む電子付箋を表示された設定画面に重畳して表示する電子付箋表示手段と、を備え、電子付箋表示手段は、電子付箋に含まれる文字列が、操作受付手段により受け付けられた設定値の文字列の全てを含む場合、電子付箋の表示を中止する設定後中止手段を含む。
【００１７】
この局面に従えば、電子付箋に含まれる文字列が、受け付けられた設定値の文字列の全てを含む場合、電子付箋の表示を中止するので、設定値が設定されるタイミングで電子付箋の表示を中止することができる。また、電子付箋が設定値の文字列を含むので、設定されるべき設定値を表示することができる。その結果、設定値を記憶または伝達するとともに、設定値が設定されるタイミングで電子付箋を表示しないようにすることが可能な画像処理装置を提供することができる。
【００１８】
好ましくは、操作受付手段により受け付けられた操作に従って電子付箋を登録する電子付箋登録手段と、設定後中止手段により電子付箋の表示が中止された後に処理実行手段により所定の処理が実行されることに応じて、登録された電子付箋を削除する削除手段と、をさらに備える。
【００１９】
この局面に従えば、電子付箋に含まれる文字列の一部の設定値が設定された後に所定の処理が実行されると、電子付箋が削除されるので、処理が実行された後に、電子付箋が再度表示されないようにすることができる。
【００２０】
好ましくは、操作受付手段により受け付けられた操作を入力するユーザーを検出するユーザー検出手段をさらに備え、削除手段は、電子付箋登録手段により登録された電子付箋を登録した第１のユーザーと、処理実行手段に所定の処理の実行を指示した第２のユーザーとが異なることを条件に、電子付箋を削除する。
【００２１】
この局面に従えば、他のユーザーに設定値を伝達することができる。
【００２２】
この発明の他の局面によれば、操作支援方法は、ユーザーによる操作を受け付ける操作受付手段を備えた画像処理装置で実行される操作支援方法であって、サブ画面と関連付けられた遷移キーを含むメイン画面を表示するメイン画面表示ステップと、メイン画面が表示される段階で、メイン画面に重畳してメイン画面中の所定の位置に、文字列を含む電子付箋を表示する電子付箋表示ステップと、操作受付手段によって受け付けられた操作が表示されたメイン画面に含まれる遷移キーを指示する操作の場合、遷移キーに関連付けられたサブ画面をメイン画面に重畳して表示するサブ画面表示ステップと、を含み、電子付箋表示ステップは、サブ画面と電子付箋とが重なる場合は、電子付箋をサブ画面と重なる部分でサブ画面に重畳して表示する優先表示ステップと、電子付箋に含まれる文字列がサブ画面に関連する名称の文字列の全てを含む場合、サブ画面が表示されることに応じて、電子付箋の表示を中止する表示時中止ステップを含む。
【００２３】
この局面に従えば、電子付箋と操作画面とを関連付けることなく、操作画面が表示さるタイミングで電子付箋を表示しないようにすることが可能な操作支援方法を提供することができる。
【００２４】
この発明のさらに他の局面によれば、操作支援方法は、ユーザーによる操作を受け付ける操作受付手段と、受け付けられた操作に従って所定の処理を実行する処理実行手段と、を備えた画像処理装置で実行される操作支援方法であって、処理実行手段が所定の処理を実行するための設定値を表示する設定値表示領域を含む設定画面を表示する設定画面表示ステップと、文字列を含む電子付箋を表示された設定画面に重畳して表示する電子付箋表示ステップと、を含み、電子付箋表示ステップは、電子付箋に含まれる文字列が、操作受付手段により受け付けられた設定値の文字列の全てを含む場合、電子付箋の表示を中止する設定後中止ステップを含む。
【００２５】
この局面に従えば、設定値を記憶または伝達するとともに、設定値が設定されるタイミングで電子付箋を表示しないようにすることが可能な操作支援方法を提供することができる。
【００２６】
この発明のさらに他の局面によれば、操作支援プログラムは、ユーザーによる操作を受け付ける操作受付手段を備えた画像処理装置を制御するコンピュータで実行される操作支援プログラムであって、サブ画面と関連付けられた遷移キーを含むメイン画面を表示するメイン画面表示ステップと、メイン画面が表示される段階で、メイン画面に重畳してメイン画面中の所定の位置に、文字列を含む電子付箋を表示する電子付箋表示ステップと、操作受付手段によって受け付けられた操作が表示されたメイン画面に含まれる遷移キーを指示する操作の場合、遷移キーに関連付けられたサブ画面をメイン画面に重畳して表示するサブ画面表示ステップと、をコンピュータに実行させ、電子付箋表示ステップは、サブ画面と電子付箋とが重なる場合は、電子付箋をサブ画面と重なる部分でサブ画面に重畳して表示する優先表示ステップと、電子付箋に含まれる文字列がサブ画面に関連する名称の文字列の全てを含む場合、サブ画面が表示されることに応じて、電子付箋の表示を中止する表示時中止ステップと、を含む。
【００２７】
この局面に従えば、電子付箋と操作画面とを関連付けることなく、操作画面が表示さるタイミングで電子付箋を表示しないようにすることが可能な操作支援プログラムを提供することができる。
【００２８】
この発明のさらに他の局面によれば、操作支援プログラムは、ユーザーによる操作を受け付ける操作受付手段と、受け付けられた操作に従って所定の処理を実行する処理実行手段と、を備えた画像処理装置を制御するコンピュータで実行される操作支援プログラムであって、処理実行手段が所定の処理を実行するための設定値を表示する設定領域を含む設定画面を表示する設定画面表示ステップと、文字列を含む電子付箋を表示された設定画面に重畳して表示する電子付箋表示ステップと、をコンピュータに実行させ、電子付箋表示ステップは、電子付箋に含まれる文字列が、操作受付手段により受け付けられた設定値の文字列の全てを含む場合、電子付箋の表示を中止する設定後中止ステップを含む。
【００２９】
この局面に従えば、設定値を記憶または伝達するとともに、設定値が設定されるタイミングで電子付箋を表示しないようにすることが可能な操作支援プログラムを提供することができる。
【図面の簡単な説明】
【００３０】
【図１】本発明の実施の形態の１つにおけるＭＦＰの外観を示す図である。
【図２】ＭＦＰのハードウェア構成の概要を示すブロック図である。
【図３】操作パネルの一例を示す平面図である。
【図４】ＭＦＰが備えるＣＰＵの機能の一例を示すブロック図である。
【図５】メイン画面の一例を示す図である。
【図６】メイン画面に重畳して電子付箋が表示された画面の一例を示す図である。
【図７】メイン画面にサブ画面が重畳して表示される画面の一例を示す第１の図である。
【図８】メイン画面にサブ画面が重畳して表示される画面の一例を示す第２の図である。
【図９】メイン画面にサブ画面が重畳して表示される画面の一例を示す第３の図である。
【図１０】操作支援処理の流れの一例を示すフローチャートである。
【図１１】電子付箋登録処理の流れの一例を示すフローチャートである。
【図１２】変形例におけるＭＦＰが備えるＣＰＵの機能の一例を示すブロック図である。
【図１３】変形例における操作支援処理の流れの位置を示すフローチャートである。
【図１４】変形例における電子付箋登録処理の流れの一例を示すフローチャートである。
【発明を実施するための形態】
【００３１】
以下、本発明の実施の形態について図面を参照して説明する。以下の説明では同一の部品には同一の符号を付してある。それらの名称および機能も同じである。したがってそれらについての詳細な説明は繰返さない。
【００３２】
図１は、本発明の実施の形態の１つにおけるＭＦＰの外観を示す図である。図２は、ＭＦＰのハードウェア構成の概要を示すブロック図である。図１および図２を参照して、ＭＦＰ（Ｍｕｌｔｉ  Ｆｕｎｃｔｉｏｎ  Ｐｅｒｉｐｈｅｒａｌ）１００は、画像処理装置として機能し、メイン回路１１０と、原稿を読み取るための原稿読取部１３０と、原稿を原稿読取部１３０に搬送するための自動原稿搬送装置１２０と、原稿読取部１３０が原稿を読み取って出力する画像データに基づいて用紙等に画像を形成するための画像形成部１４０と、画像形成部１４０に用紙を供給するための給紙部１５０と、画像が形成された用紙を処理する後処理部１５５と、ユーザーインターフェースとしての操作パネル１６０とを含む。
【００３３】
後処理部１５５は、画像形成部１４０により画像が形成された１以上の用紙を並び替えて排紙するソート処理、パンチ穴加工するパンチ処理、ステープル針を打ち込むステープル処理を実行する。
【００３４】
メイン回路１１０は、ＣＰＵ１１１と、通信インターフェース（Ｉ／Ｆ）部１１２と、ＲＯＭ１１３と、ＲＡＭ１１４と、大容量記憶装置としてのハードディスクドライブ（ＨＤＤ）１１５と、ファクシミリ部１１６と、ＣＤ−ＲＯＭ１１８が装着される外部記憶装置１１７と、を含む。ＣＰＵ１１１は、自動原稿搬送装置１２０、原稿読取部１３０、画像形成部１４０、給紙部１５０、後処理部１５５および操作パネル１６０と接続され、ＭＦＰ１００の全体を制御する。
【００３５】
ＲＯＭ１１３は、ＣＰＵ１１１が実行する制御プログラム、またはその制御プログラムを実行するために必要なデータを記憶する。ＲＡＭ１１４は、ＣＰＵ１１１がプログラムを実行する際の作業領域として用いられる。また、ＲＡＭ１１４は、原稿読取部１３０から連続的に送られてくる読取データ（画像データ）を一時的に記憶する。
【００３６】
通信Ｉ／Ｆ部１１２は、ＭＦＰ１００をネットワークに接続するためのインターフェースである。ＣＰＵ１１１は、通信Ｉ／Ｆ部１１２を介して、ネットワークに接続された他のコンピューターとの間で通信し、データを送受信する。また、通信Ｉ／Ｆ部１１２は、ネットワークを介してインターネットに接続されたコンピューターと通信が可能である。
【００３７】
ファクシミリ部１１６は、公衆交換電話網（ＰＳＴＮ）に接続され、ＰＳＴＮにファクシミリデータを送信する、またはＰＳＴＮからファクシミリデータを受信する。ファクシミリ部１１６は、受信したファクシミリデータを、ＨＤＤ１１５に記憶する、または画像形成部１４０に出力する。画像形成部１４０は、ファクシミリ部１１６により受信されたファクシミリデータを用紙にプリントする。また、ファクシミリ部１１６は、ＨＤＤ１１５に記憶されたデータをファクシミリデータに変換して、ＰＳＴＮに接続されたファクシミリ装置に送信する。
【００３８】
外部記憶装置１１７は、ＣＤ−ＲＯＭ（Ｃｏｍｐａｃｔ  Ｄｉｓｋ  ＲＯＭ）１１８が装着される。ＣＰＵ１１１は、外部記憶装置１１７を介してＣＤ−ＲＯＭ１１８にアクセス可能である。ＣＰＵ１１１は、外部記憶装置１１７に装着されたＣＤ−ＲＯＭ１１８に記録されたプログラムをＲＡＭ１１４にロードして実行する。なお、ＣＰＵ１１１が実行するプログラムを記憶する媒体としては、ＣＤ−ＲＯＭ１１８に限られず、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）などの半導体メモリであってもよい。
【００３９】
また、ＣＰＵ１１１が実行するプログラムは、ＣＤ−ＲＯＭ１１８に記録されたプログラムに限られず、ＨＤＤ１１５に記憶されたプログラムをＲＡＭ１１４にロードして実行するようにしてもよい。この場合、ネットワークに接続された他のコンピューターが、ＭＦＰ１００のＨＤＤ１１５に記憶されたプログラムを書換える、または、新たなプログラムを追加して書き込むようにしてもよい。さらに、ＭＦＰ１００が、ネットワークに接続された他のコンピューターからプログラムをダウンロードして、そのプログラムをＨＤＤ１１５に記憶するようにしてもよい。ここでいうプログラムは、制御プログラム、それに含まれる操作支援プログラムを含み、ＣＰＵ１１１が直接実行可能なプログラムだけでなく、ソースプログラム、圧縮処理されたプログラム、暗号化されたプログラムを含む。
【００４０】
操作パネル１６０は、ＭＦＰ１００の上面に設けられる。図３は、操作パネルの一例を示す平面図である。なお、図中の点線は、後述するハードキー部１６７を示すために付したもので、実際には存在しない。図３を参照して、操作パネル１６０は、表示部１６１と操作部１６３とを含む。表示部１６１は、例えば、液晶表示装置（ＬＣＤ）であり、ユーザーに対する指示メニューや取得した画像データに関する情報等を表示する。
【００４１】
操作部１６３は、タッチパネル１６５と、ハードキー部１６７とを含む。タッチパネル１６５は、表示部１６１の上面または下面に表示部１６１に重畳して設けられる。ハードキー部１６７は、複数のハードキーを含む。ハードキーは、例えば接点スイッチである。タッチパネル１６５は、表示部１６１の表示面中でユーザーにより指示された位置を検出する。ユーザーがＭＦＰ１００を操作する場合は直立した姿勢となる場合が多いので、表示部１６１の表示面、タッチパネル１６５の操作面およびハードキー部１６７は、上方を向いて配置される。ユーザーが表示部１６１の表示面を容易に視認することができ、ユーザーが指で操作部１６３を容易に指示することができるようにするためである。
【００４２】
図４は、ＭＦＰが備えるＣＰＵの機能の一例を示すブロック図である。図４に示す機能は、ＭＦＰ１００が備えるＣＰＵ１１１が、ＲＯＭ１１３、ＨＤＤ１１５またはＣＤ−ＲＯＭ１１８に記憶された操作支援プログラムを実行することにより、ＣＰＵ１１１に形成される機能である。
【００４３】
図４を参照して、ＭＦＰ１００が備えるＣＰＵ１１１は、ユーザーによる操作を受け付ける操作受付部５１と、電子付箋を登録する電子付箋登録部５３と、メイン画面を表示するメイン画面表示部５５と、サブ画面を表示するサブ画面表示部５７と、電子付箋を表示する電子付箋表示部６１と、設定値を設定する設定部５９と、設定値に従って処理を実行する処理実行部６３と、登録された電子付箋を削除する削除部６５と、を含む。
【００４４】
操作受付部５１は、ユーザーが操作部１６３に入力する操作を受け付け、受け付けられた操作を、電子付箋登録部５３、メイン画面表示部５５、サブ画面表示部５７、設定部５９と、処理実行部６３と、ユーザー検出部６７に出力する。
【００４５】
メイン画面表示部５５およびサブ画面表示部５７は、ＨＤＤ１１５に記憶された複数の操作画面を表示部１６１に表示する。ＨＤＤ１１５は、複数の操作画面を記憶している。複数の操作画面それぞれは、別の１以上の操作画面と関連付けられており、階層構造を形成する。ユーザーが表示された操作画面を別の操作画面に切り換えることができるように、操作画面は、別の操作画面の表示に切り換える指示を入力するためのボタンを含み、そのボタンは別の操作画面と関連付けられている。以下、操作画面において、その操作画面に関連付けられた別の操作画面に切り換えるための操作を受け付けるボタンを、遷移ボタンという。
【００４６】
また、複数の操作画面は、メイン画面と、メイン画面に関連付けられたサブ画面とを含む。メイン画面は、１以上のサブ画面と関連付けられており、１以上のサブ画面に切り換えるための１以上の遷移ボタンを含む。メイン画面は、サブ画面よりも階層が上位である。複数の操作画面は、１以上のメイン画面を含む。
【００４７】
メイン画面表示部５５は、操作受付部５１からメイン画面を選択する操作が入力されることに応じて、選択されたメイン画面をＨＤＤ１１５から読出し、読み出されたメイン画面を表示部１６１に表示する。メイン画面を選択する操作は、例えば、１以上のメイン画面それぞれを識別するための画面識別情報を選択可能に表示するメニュー画面が表示部１６１に表示されている状態で、１以上の画面識別情報のいずれかを指示する操作である。また、メイン画面を選択する操作は、ハードキー部１６７が備える複数のハードキーのうちメイン画面と関連付らえたハードキーを指示する操作である。メイン画面表示部５５は、表示部１６１に表示したメイン画面を識別するための画面識別情報を電子付箋表示部６１に出力する。また、メイン画面表示部５５は、設定部５９から設定値が入力されることに応じて、メイン画面に含まれる設定値を表示する設定値表示領域に、入力された設定値を表示する。
【００４８】
サブ画面表示部５７は、表示部１６１にメイン画面が表示されている状態で、操作受付部５１からメイン画面に含まれる遷移キーを指示する操作が入力されることに応じて、指示された遷移キーに関連付けられたサブ画面をＨＤＤ１１５から読出し、読み出されたサブ画面を表示部１６１に表示する。サブ画面表示部５７は、表示部１６１に表示したサブ画面を識別するための画面識別情報を電子付箋表示部６１に出力する。また、サブ画面表示部５７は、設定部５９から設定値が入力されることに応じて、サブ画面に含まれる設定値を表示する設定値表示領域に、入力された設定値を表示する。サブ画面がポップアップ画面の場合、サブ画面表示部５７は、表示部１６１に表示されているメイン画面に重畳してサブ画面を表示する。
【００４９】
設定部５９は、操作受付部５１から入力される操作が、設定値を設定する設定操作の場合、設定操作により特定される設定値を設定する。設定部５９は、設定した設定値を、処理実行部６３および電子付箋表示部６１に出力する。設定値を設定する操作は、メイン画面のみが表示されている状態、サブ画面が表示されている状態のいずれであっても受け付けられる場合がある。
【００５０】
処理実行部６３は、操作受付部５１から入力される操作が、処理の実行を指示する操作の場合、操作により特定される処理を、設定部５９により設定された設定値に従って実行する。処理実行部６３が実行する処理は、例えば、自動原稿搬送装置１２０および原稿読取部１３０を制御して原稿の画像を読み取るスキャン処理、画像形成部１４０、給紙部１５０および後処理部１５５を制御して用紙に画像を形成する画像形成処理、ＨＤＤ１１５またはＣＤ−ＲＯＭ１１８に記憶されたデータを読み出し、または、書き込みするデータ管理処理、ファクシミリ部１１６を制御してファクシミリデータを送受信するファクシミリ処理、通信Ｉ／Ｆ部１１２を制御してデータを送受信するデータ送受信処理、を含む。処理実行部６３が実行する処理は、上記のうち２以上の処理を組み合わせた処理を含む。例えば、スキャン処理と画像形成処理を組み合わせたコピー処理、スキャン処理とデータ送信処理を組み合わせて原稿画像を読み取った画像データを送信するスキャンｔｏ送信処理、スキャン処理とデータ管理処理とを組み合わせて原稿画像を読み取った画像データをＨＤＤ１１５に記憶するスキャンｔｏＢＯＸ処理を含む。処理実行部６３は、処理を実行すると、実行完了信号を削除部６５に出力する。
【００５１】
電子付箋登録部５３は、電子付箋情報を登録する。電子付箋登録部５３は、表示部１６１に登録画面を表示し、操作受付部５１から電子付箋情報を登録する操作が入力されると、電子付箋情報をＨＤＤ１１５に記憶する。電子付箋は、表示部１６１に表示されているメイン画面に重畳して表示される画像であり、文字列の画像を含む。電子付箋情報は、電子付箋に対応するメイン画面の画像識別情報と、電子付箋に記述される文字列と、電子付箋の形状と、表示部１６１の表示面中で電子付箋が配置される位置と、を含む。電子付箋登録部５３は、複数のメイン画面のうち複数にそれぞれ対応して複数の電子付箋情報を登録する場合がある。電子付箋登録部５３は、登録された１以上の電子付箋情報を電子付箋表示部６１に出力する。
【００５２】
登録画面は、メイン画面を指定する領域と、文字列を設定する領域と、形状を指定する領域と、表示部１６１の表示面中の位置を指定する領域と、を含む。電子付箋登録部５３は、ユーザーが、表示部１６１に表示された登録画面に従って操作部１６３に入力する操作に従って、電子付箋情報を生成し、電子付箋情報をＨＤＤ１１５に記憶する。例えば、メイン画面を指定する領域は、複数のメイン画面それぞれの画面識別情報を選択可能に表示するリストを含む。ユーザーが、複数の画面識別情報のいずれかを指示する操作を操作部１６３に入力すれば、操作受付部５１は、指示された画面識別情報を受け付けるので、電子付箋登録部５３は、その画面識別情報を検出する。ユーザーが、登録画面の文字列を設定する領域に、操作部１６３を用いて文字列を入力すれば、操作受付部５１は、入力された文字列を受け付けるので、電子付箋登録部５３は、その文字列を検出する。形状を指定する領域は、予め定められた複数の形状を選択可能に表示するリストを含む。ユーザーが操作部１６３に、複数の形状のいずれかを指示する操作を入力すれば、操作受付部５１は、指示された形状を受け付けるので、電子付箋登録部５３は、その形状を検出する。位置を指定する領域は、表示部１６１の表示面の座標を入力する領域を含む。ユーザーが操作部１６３に、座標を入力すれば、操作受付部５１は、入力された座標を電子付箋の位置を受け付けるので、電子付箋登録部５３は、その位置を検出する。
【００５３】
電子付箋表示部６１は、電子付箋登録部５３から１以上の電子付箋情報が入力され、メイン画面表示部５５から表示部１６１に表示されているメイン画面の画面識別情報が入力される。また電子付箋表示部６１は、サブ画面表示部５７からサブ画面が表示部１６１に表示される場合にそのサブ画面の画面識別情報が入力され、設定部５９から設定値が設定される場合にその設定値が入力される。電子付箋表示部６１は、メイン画面表示部５５からメイン画面の画面識別情報が入力されることに応じて、電子付箋登録部５３から入力される１以上の電子付箋情報のうちから、メイン画面表示部５５から入力される画面識別情報を含む電子付箋情報を抽出する。電子付箋表示部６１は、表示部１６１に表示されているメイン画面の画面識別情報を含む電子付箋情報が電子付箋登録部５３から入力されている場合は、その電子付箋情報を処理対象に設定し、電子付箋を、表示部１６１に表示されているメイン画面に重畳して表示する。
【００５４】
電子付箋表示部６１は、優先表示部７１と、名称比較部７３と、表示時中止部７５と、設定値比較部７７と、設定後中止部７９と、を含む。優先表示部７１は、電子付箋を表示している状態で、サブ画面表示部５７からサブ画面の画面識別情報が入力される場合、電子付箋を、サブ画面表示部５７によって表示部１６１に表示されたサブ画面に重畳して表示する。このため、サブ画面がサブ画面表示部５７によって表示部１６１に表示された段階で、電子付箋がユーザーによって視認可能になる。
【００５５】
名称比較部７３は、サブ画面表示部５７からサブ画面の画面識別情報が入力される。サブ画面表示部５７は、表示部１６１にサブ画面を表示した時にサブ画面の画面識別情報を出力する。名称比較部７３は、電子付箋が表示されている状態で、サブ画面表示部５７からサブ画面の画面識別情報が入力される場合、電子付箋に含まれる文字列をサブ画面に関連する名称の文字列と比較する。
【００５６】
サブ画面に関連する名称は、サブ画面に含まれる名称と、サブ画面に関連付けられた遷移キーに付された名称とを含む。サブ画面に含まれる名称は、設定値を設定するための設定キーに付された名称と、設定値を示す設定項目に付された名称と、を含む。設定項目は、例えば、複数ページを１ページに集約する設定項目「ページ集約」である。設定項目「ページ集約」で設定可能な設定値は、１ページを１ページに配置する設定値「しない」、２ページを１ページに集約する設定値「２ｉｎ１」、４ページを１ページに集約する設定値「４ｉｎ１」、８ページを１ページに集約する設定値「８ｉｎ１」がある。１ページを１ページに配置する設定値「しない」を設定するための設定キーに付された名称は「しない」であり、２ページを１ページに集約する設定値「２ｉｎ１」を設定するための設定キーに付された名称は「２ｉｎ１」であり、４ページを１ページに集約する設定値「４ｉｎ１」を設定するための設定キーに付された名称は「４ｉｎ１」であり、８ページを１ページに集約する設定値「８ｉｎ１」を設定するための設定キーに付された名称は「８ｉｎ１」である。また、サブ画面に関連付けられた遷移キーに付された名称は、「両面／ページ集約」である。
【００５７】
名称比較部７３は、表示部１６１に表示されている電子付箋に対応する電子付箋情報に含まれる文字列が、サブ画面に関連する名称を含むか否かを判断する。名称比較部７３は、電子付箋情報に含まれる文字列が、サブ画面に関連する名称を含むと判断する場合、中止指示を表示時中止部７５に出力する。名称比較部７３は、電子付箋情報に含まれる文字列がサブ画面に関連する名称の文字列の全てを含む場合に、電子付箋情報に含まれる文字列がサブ画面に関連する名称を含むと判断し、電子付箋情報に含まれる文字列がサブ画面に関連する名称の文字列の一部を含むが全部を含まない場合は電子付箋情報に含まれる文字列がサブ画面に関連する名称を含まない判断する。サブ画面に関連する名称が複数の場合には、複数の名称の少なくとも１つの文字列が電子付箋情報に含まれる文字列に含まれるならば、電子付箋情報に含まれる文字列がサブ画面に関連する名称を含むと判断する。
【００５８】
表示時中止部７５は、名称比較部７３から中止指示が入力されることに応じて、表示部１６１に表示された電子付箋の表示を中止する。例えば、電子付箋情報が「複数ページを１枚に印刷する場合は、両面／ページ集約キーを押してください」の文字列を含み、名称が「両面／ページ集約」の遷移キーが指示され、その遷移キーに対応するサブ画面が表示される場合、電子付箋の表示を中止する。また、電子付箋情報が「２ｉｎ１を利用する場合は、両面／ページ集約キーを押してください」の文字列を含み、遷移キーが指示されてサブ画面が表示される場合、そのサブ画面が名称が「２ｉｎ１」の設定キーを含む場合、電子付箋の表示を中止する。
【００５９】
設定値比較部７７は、設定部５９から設定値が入力される。設定値比較部７７は、表示部１６１に表示されている電子付箋に対応する電子付箋情報に含まれる文字列が、設定値を含むか否かを判断する。設定値比較部７７は、電子付箋情報に含まれる文字列が、設定値を含むと判断する場合、中止指示を設定後中止部７９に出力する。設定値比較部７７は、電子付箋情報に含まれる文字列が設定値の文字列の全てを含む場合に、電子付箋情報に含まれる文字列が設定値を含むと判断し、電子付箋情報に含まれる文字列が設定値の文字列の一部を含むが全部を含まない場合は電子付箋情報に含まれる文字列が設定値を含まない判断する。設定部５９から入力される設定値が複数の場合には、複数の設定値の少なくとも１つの文字列が電子付箋情報に含まれる文字列に含まれるならば、電子付箋情報に含まれる文字列が設定値を含むと判断する。
【００６０】
設定後中止部７９は、設定値比較部７７から中止指示が入力されることに応じて、表示部１６１に表示された電子付箋の表示を中止するとともに、電子付箋情報を削除部６５に出力する。
【００６１】
削除部６５は、設定後中止部７９から電子付箋情報が入力された後、処理実行部６３から実行完了信号が入力されると、設定後中止部７９から入力される電子付箋情報を削除する。具体的には、電子付箋登録部５３によってＨＤＤ１１５に記憶された電子付箋情報のうち、設定後中止部７９から入力される電子付箋情報と同じ電子付箋情報をＨＤＤ１１５から消去する。これにより、同じ電子付箋が再度表示されないようにすることができる。
【００６２】
例えば、Ａさんが登録した電子付箋情報に含まれる文字列に「Ｂさん、資料を５部コピーして下さい。」の文字列を含む場合、コピーの部数「５」を設定値として含む。この場合、コピー部数の設定値に「５」が設定される場合、電子付箋の表示が中止される。このため、Ａさんは、Ｂさんに対してコピー部数が５部であることを伝達することができ、Ｂさんは、電子付箋を見てコピー部数に設定値「５」を設定することができる。さらに、コピー部数の設定値「５」が設定された後は、電子付箋の表示が中止されるので、Ｂさんが設定画面を見やすくなる。また、例えば、Ａさんが登録した電子付箋情報に含まれる文字列に「Ｂさん、０３ー３３３３−３３３３に資料をＦＡＸして下さい。」の文字列を含む場合、送信先のファクシミリ番号「０３−３３３３−３３３３」を設定値として含む。この場合、ファクシミリの送信先の設定値に「０３−３３３３−３３３３」が設定される場合、電子付箋の表示が中止される。このため、Ａさんは、Ｂさんに対してファクシミリの送信先の番号を伝達することができ、Ｂさんは、電子付箋を見てファクシミリの送信先として「０３−３３３３−３３３３」を設定することができる。さらに、ファクシミリの送信先に「０３−３３３３−３３３３」が設定された後は、電子付箋の表示が中止されるので、Ｂさんが設定画面を見やすくなる。また、Ａさんが登録した電子付箋情報に含まれる文字列に「０３ー３３３３−３３３３に資料をＦＡＸ。」の文字列を含む場合、送信先のファクシミリ番号「０３−３３３３−３３３３」を設定値として含む。この場合、ファクシミリの送信先の設定値に「０３−３３３３−３３３３」が設定される場合、電子付箋の表示が中止される。このため、Ａさん、およびＡさん以外のユーザーに対してファクシミリの送信先の番号を伝達することができ、Ａさん、およびＡさん以外のユーザーは、電子付箋を見てファクシミリの送信先として「０３−３３３３−３３３３」を設定することができる。さらに、ファクシミリの送信先に「０３−３３３３−３３３３」が設定された後は、電子付箋の表示が中止されるので、設定画面を見やすくなる。
【００６３】
図５は、メイン画面の一例を示す図である。図５を参照して、メイン画面３００は、ＨＤＤ１１５に記憶された複数の操作画面のうちメイン画面の１つを示し、コピー処理の設定値を設定するための操作画面である。メイン画面３００は、コピー部数の設定値を表示する設定領域３０８と、７つの遷移キー３０１〜３０７と、を含む。設定領域３０８には、デフォルトの設定値「１」が示されており、ユーザーが操作部１６３を操作して設定値を別の設定値に変更可能である。
【００６４】
遷移キー３０１は、原稿の画質を設定するための操作画面であるサブ画面が関連付けられる。遷移キー３０１の下方に並んで、遷移キー３０１を識別するためのキー識別情報「原稿画質」を表示する領域３０１Ａが配置される。遷移キー３０２は、画像形成の色の数を設定するための操作画面であるサブ画面が関連付けられる。遷移キー３０２の下方に並んで、遷移キー３０２を識別するためのキー識別情報「カラー」を表示する領域３０２Ａが配置される。遷移キー３０３は、画像形成の濃度を設定するための操作画面であるサブ画面が関連付けられる。遷移キー３０３の下方に並んで、遷移キー３０３を識別するためのキー識別情報「濃度」を表示する領域３０３Ａが配置される。遷移キー３０４は、画像を形成する用紙の種類を設定するための操作画面であるサブ画面が関連付けられる。遷移キー３０４の下方に並んで、遷移キー３０４を識別するためのキー識別情報「用紙」を表示する領域３０４Ａが配置される。遷移キー３０５は、原稿に対して用紙に形成する画像の倍率を設定するための操作画面であるサブ画面が関連付けられる。遷移キー３０５の下方に並んで、遷移キー３０５を識別するためのキー識別情報「倍率」を表示する領域３０５Ａが配置される。遷移キー３０６は、原稿の読取面および用紙の画像形成面、および用紙に形成する原稿のページ数を設定するための操作画面であるサブ画面が関連付けられる。遷移キー３０６の下方に並んで、遷移キー３０６を識別するためのキー識別情報「両面／ページ集約」を表示する領域３０６が配置される。遷移キー３０７は、画像を形成した用紙に対する後処理の内容を設定するための操作画面であるサブ画面が関連付けられる。遷移キー３０７の下方に並んで、遷移キー３０７を識別するためのキー識別情報「仕上がり」を表示する領域３０７Ａが配置される。
【００６５】
図６は、メイン画面に重畳して電子付箋が表示された画面の一例を示す図である。図６を参照して、図５に示したメイン画面３００に重畳して、電子付箋３０９が表示されている。電子付箋３０９は、横長の長方形の画像であり、「２ｉｎ１を利用する場合は、両面／ページ集約キーを押してください」の文字列の画像を含む。
【００６６】
次に、図６に示したメイン画面３００に電子付箋３０９が表示された状態で、遷移キー３０６、３０２、３０３が指示された場合に、サブ画面が表示される場合について説明する。
【００６７】
図７は、メイン画面にサブ画面が重畳して表示される画面の一例を示す第１の図である。図７では、図６に示したメイン画面３００に電子付箋３０９が表示された状態で、遷移キー３０６が指示された場合に、サブ画面が表示された画面の一例を示す。図７を参照して、画面３１０は、メイン画面３００と、メイン画面３００に重畳して表示されたサブ画面３１１とを含む。図６に示した画面３００において、メイン画面３００に重畳して表示された電子付箋３０９は表示されない。サブ画面３１１は、遷移キー３０６と関連付けられており、その遷移キー３０６のキー識別情報は「両面／ページ集約」である。図６に示した電子付箋３０９は、「２ｉｎ１を利用する場合は、両面／ページ集約キーを押してください」の文字列の画像を含み、その文字列は一部に遷移キー３０６のキー識別情報「両面／ページ集約」の全てを含むからである。
【００６８】
また、サブ画面３１１は、設定項目の名称を表示する領域３１２と、その設定項目に対応し、設定値を設定するための設定キー３１２Ａ〜３１２Ｄと、設定項目の名称を表示する領域３１３と、その設定項目に対応し、設定値を設定するための設定キー３１３Ａ〜３１２Ｄと、を含む。領域３１２には、設定項目の名称「両面＞出力」の文字列を含む。設定キー３１２Ａは、設定キーの名称「片面＞片面」の文字列を含む。設定キー３１２Ｂは、設定キーの名称「片面＞両面」の文字列を含む。設定キー３１２Ｃは、設定キーの名称「両面＞片面」の文字列を含む。設定キー３１２Ｄは、設定キーの名称「両面＞両面」の文字列を含む。領域３１３には、設定項目の名称「ページ集約」の文字列を含む。設定キー３１３Ａは、設定キーの名称「しない」の文字列を含む。設定キー３１３Ｂは、設定キーの名称「２ｉｎ１」の文字列を含む。設定キー３１３Ｄは、設定キーの名称「８ｉｎ１」の文字列を含む。設定キー３１３Ａは、設定キーの名称「しない」の文字列を含む。
【００６９】
また、図６に示した電子付箋３０９は、「２ｉｎ１を利用する場合は、両面／ページ集約キーを押してください」の文字列の画像を含み、その文字列は一部に、設定キー３１３Ａの名称「２ｉｎ１」を含む。したがって、電子付箋３０９が「両面／ページ集約キー」の文字列を含まない場合であっても、図６に示したメイン画面３００に電子付箋３０９が表示された状態で、遷移キー３０６が指示された場合に、電子付箋３０９は表示されない。
【００７０】
図８は、メイン画面にサブ画面が重畳して表示される画面の一例を示す第２の図である。図８では、図６に示したメイン画面３００に電子付箋３０９が表示された状態で、遷移キー３０３が指示された場合に、サブ画面が表示された画面の一例を示す。図８を参照して、画面３２０は、メイン画面３００と、メイン画面３００に重畳して表示されたサブ画面３２１と、メイン画面３００に重畳して表示された電子付箋３０９と、を含む。サブ画面３２１は、設定キー３２３，３２４，３２５，３２６，３２７と、設定キー３２３の下方に配置された設定キー３２３の名称「うすい」と、設定キー３２５の下方に配置された設定キー３２５の名称「ふつう」と、設定キー３２７の下方に配置された設定キー３２７の名称「こい」と、を含む。電子付箋３０９は、「２ｉｎ１を利用する場合は、両面／ページ集約キーを押してください」の文字列の画像を含む。電子付箋３０９に表示される文字列は一部に、遷移キー３０３のキー識別情報「濃度」を含まず、サブ画面３２１に含まれる設定キー３２３、３２５、３２７の名称の文字列のいずれをも含まない。このため、図６に示したメイン画面３００に電子付箋３０９が表示された状態で、遷移キー３０３が指示された場合は、サブ画面３２１および電子付箋３０９がメイン画面３００に重畳して表示される。
【００７１】
図９は、メイン画面にサブ画面が重畳して表示される画面の一例を示す第３の図である。図９では、図６に示したメイン画面３００に電子付箋３０９が表示された状態で、遷移キー３０２が指示された場合に、サブ画面が表示された画面の一例を示す。図９を参照して、画面３３０は、メイン画面３００と、メイン画面３００に重畳して表示されたサブ画面３３１と、メイン画面３００に重畳して表示された電子付箋３０９と、を含む。サブ画面３３１は、設定キー３３２，３３３，３３４を含む。設定キー３３２は、設定キーの名称「オートカラー」の文字列を含む。設定キー３３３は、設定キーの名称「２色カラー」の文字列を含む。設定キー３３４は、設定キーの名称「単色カラー」の文字列を含む。電子付箋３０９は、「２ｉｎ１を利用する場合は、両面／ページ集約キーを押してください」の文字列の画像を含む。電子付箋３０９に表示される文字列は一部に、遷移キー３０２のキー識別情報「カラー」を含まず、サブ画面３３１に含まれる設定キー３３２，３３３，３３４の名称の文字列のいずれをも含まない。このため、図６に示したメイン画面３００に電子付箋３０９が表示された状態で、遷移キー３０２が指示された場合は、サブ画面３３１および電子付箋３０９がメイン画面３００に重畳して表示される。
【００７２】
図１０は、操作支援処理の流れの一例を示すフローチャートである。操作支援処理は、ＭＦＰが備えるＣＰＵ１１１が、ＲＯＭ１１３、ＨＤＤ１１５またはＣＤ−ＲＯＭ１１８に記憶された操作支援プログラムを実行することにより、ＣＰＵ１１１により実行される処理である。図１０を参照して、ＣＰＵ１１１は、ＨＤＤ１１５に記憶されている複数のメイン画面のうちデフォルトで定められたメイン画面を表示対象に設定する。
【００７３】
次のステップＳ０２においては、表示対象に設定されたメイン画面を、表示部１６１に表示し、処理をステップＳ０３に進める。ステップＳ０１または後述するステップＳ２１において、メイン画面が表示対象に設定される。
【００７４】
ステップＳ０３においては、表示対象のメイン画面に対応する電子付箋情報が存在するか否かを判断する。表示対象のメイン画面の画面識別情報を含む電子付箋情報がＨＤＤ１１５に記憶されているか否かを判断する。表示対象のメイン画面に対応する電子付箋情報が存在するならば処理をステップＳ０４に進めるが、そうでなければステップＳ０４をスキップして処理をステップＳ０５に進める。ステップＳ０４においては、電子付箋情報に基づいて電子付箋を表示部１６１に表示し、処理をステップＳ０５に進める。具体的には、電子付箋情報に含まれる文字列の画像を含み、電子付箋情報に含まれる形状の画像である電子付箋を、表示部１６１の表示面中で電子付箋情報に含まれる位置で特定される位置に表示する。メイン画面が表示されている場合には、メイン画面に重畳して電子付箋を表示する。また、後述するステップＳ１０においてサブ画面が表示されている場合にはそのサブ画面に重畳して電子付箋を表示する。
【００７５】
ステップＳ０５においては、操作を受け付けたか否かを判断する。ユーザーが操作部１６３に入力する操作を受け付ける。そして受け付けられた操作の種類によって処理を分岐させる。ここでは、ユーザーにより入力される操作を、設定値を設定する設定値設定操作、メイン画面に含まれる遷移キーを指示する遷移キー指示操作、処理の実行を指示する実行操作、メイン画面を切り換えるメイン画面切換操作、を含む。設定値を設定する設定値設定操作は、メイン画面またはサブ画面に含まれる設定値が割り当てられた設定キーを指示する操作、メイン画面またはサブ画面に含まれる設定値を入力する領域に操作部１６３を用いて設定値を設定する操作を、含む。処理の実行を指示する実行操作は、ハードキー部１６７が備えるスタートキーを指示する操作である。画面切換操作は、ハードキー部１６７が備える複数のハードキーのうちメイン画面が割り当てられたハードキーを指示する操作である。ユーザーにより入力された操作が、設定値設定操作ならば処理をステップＳ０６に進め、遷移キー指示操作ならば処理をステップＳ０９に進め、実行操作ならば処理をステップＳ１４に進め、画面切換操作ならば処理をステップＳ１８に進める。
【００７６】
ステップＳ０６においては、ステップＳ０５によって受け付けられた設定値設定操作により特定される設定値を電子付箋情報に含まれる文字列と比較する。そして、比較の結果が電子付箋情報に含まれる文字列の一部が設定値の文字列と一致するか否かを判断する（ステップＳ０７）。一致するならば処理をステップＳ０８に進めるが、そうでなければ処理をステップＳ０５に戻す。電子付箋情報に含まれる文字列が、設定値の文字列の全てを含む場合に、電子付箋情報に含まれる文字列の一部が設定値の文字列と一致すると判断する。電子付箋情報に含まれる文字列が、設定値の文字列の一部のみを含み、設定値の文字列のすべてを含まない場合は、電子付箋情報に含まれる文字列の一部が設定値の文字列と一致しないと判断する。
【００７７】
ステップＳ０８においては、電子付箋の表示を中止し、処理をステップＳ０５に戻す。これにより、ステップＳ０４において表示された電子付箋が表示されなくなる。電子付箋に含まれる文字列が、設定値と同じ文字列を含む場合は、その設定値が設定された後は、電子付箋を表示する必要がないからである。
【００７８】
処理がステップＳ０９に進む場合には、ステップＳ０５において受け付けられた操作が遷移キー指示操作の場合である。ステップＳ０９においては、遷移キー指示操作により特定される遷移キーに関連付けられたサブ画面を特定する。そして特定されたサブ画面を表示部１６１に表示し、処理のステップＳ１１に進める。表示部１６１にメイン画面が表示されているので、サブ画面をメイン画面に重畳して表示する。
【００７９】
ステップＳ１１においては、ステップＳ１０において表示されたサブ画面に関連する名称を電子付箋情報に含まれる文字列と比較する。そして、比較の結果が電子付箋情報に含まれる文字列の一部がサブ画面に関連する名称の文字列と一致するか否かを判断する（ステップＳ１２）。一致するならば処理をステップＳ１３に進めるが、そうでなければ処理をステップＳ０５に戻す。サブ画面に関連する名称は、サブ画面に含まれる名称と、サブ画面に関連付けられた遷移キーに付された名称とを含む。サブ画面に含まれる名称は、設定値を設定するための設定キーに付された名称と、設定値を示す設定項目に付された名称と、を含む。電子付箋情報に含まれる文字列が、サブ画面に関連する名称の文字列の全てを含む場合に、電子付箋情報に含まれる文字列の一部が設定値の文字列と一致すると判断する。電子付箋情報に含まれる文字列が、サブ画面に関連する名称の文字列の一部のみを含みすべてを含まない場合は、電子付箋情報に含まれる文字列の一部がサブ画面に関連する名称の文字列と一致しないと判断する。
【００８０】
ステップＳ１３においては、電子付箋の表示を中止し、処理をステップＳ０５に戻す。これにより、ステップＳ０４において表示された電子付箋が表示されなくなる。電子付箋に含まれる文字列が、サブ画面に関連する名称の文字列を含む場合は、そのサブ画面が表示された後は、電子付箋を表示する必要がないからである。
【００８１】
処理がステップＳ１４に進む場合には、ステップＳ０５において受け付けられた操作が実行操作の場合である。ステップＳ１４においては、ステップＳ０５によって受け付けられた実行操作により特定される処理を、それまでに設定されている設定値に従って実行し、処理をステップＳ１５に進める。ステップＳ１５においては、設定値が一致する電子付箋情報が存在するか否かを判断する。具体的には、ステップＳ０８において表示が中止された電子付箋に対応する電子付箋情報のうちに、処理を実行するために用いた設定値の文字列を一部に含む電子付箋情報が存在するか否かを判断する。そのような電子付箋情報が存在するならば、処理をステップＳ１６に進めるが、そうでなければ処理をステップＳ１７に進める。ステップＳ１６においては、ステップＳ１５において特定された電子付箋情報を削除し、処理をステップＳ１７に進める。具体的には、ステップＳ１５において特定された電子付箋情報をＨＤＤ１１５から消去する。ステップＳ１７においては、デフォルトのメイン画面を表示対象に設定し、処理をステップＳ０２に戻す。
【００８２】
処理がステップＳ１８に進む場合には、ステップＳ０５において受け付けられた操作がメイン画面切換操作の場合である。ステップＳ１８においては、電子付箋が表示中であるか否かを判断する。電子付箋が表示中ならば処理をステップＳ１９に進めるが、そうでなければ処理をステップＳ２０に進める。ステップＳ１９においては、表示中の電子付箋の表示を中止し、処理をステップＳ２０に進める。ステップＳ２０においては、ステップＳ０５によって受け付けられたメイン画面切換操作により特定されるメイン画面を特定し、処理をステップＳ２１進める。ステップＳ２１においては、特定されたメイン画面を表示対象に設定し、処理をステップＳ０２に戻す。
【００８３】
図１１は、電子付箋登録処理の流れの一例を示すフローチャートである。電子付箋登録処理は、ＭＦＰが備えるＣＰＵ１１１が、ＲＯＭ１１３、ＨＤＤ１１５またはＣＤ−ＲＯＭ１１８に記憶された電子付箋登録プログラムを実行することにより、ＣＰＵ１１１により実行される処理である。電子付箋登録プログラムは、操作支援プログラムの一部である。図１１を参照して、ＣＰＵ１１１は、登録画面を表示部１６１に表示する（ステップＳ３１）。登録画面は、メイン画面を指定する領域と、文字列を設定する領域と、形状を指定する領域と、表示部１６１の表示面中の位置を指定する領域と、を含む。
【００８４】
ステップＳ３２においては、メイン画面の指定を受け付ける。登録画面に含まれるメイン画面を指定する領域は、複数のメイン画面それぞれの画面識別情報を選択可能に表示するリストを含む。ユーザーが、複数の画面識別情報のいずれかを指示する操作を操作部１６３に入力すれば、指示された画面識別情報で特定されるメイン画面の指定を受け付ける。
【００８５】
次のステップＳ３３においては、文字列を受け付ける。登録画面の文字列を設定する領域に、ユーザーが操作部１６３を用いて入力する文字列を受け付ける。次のステップＳ３４においては、電子付箋の形状の指定を受け付ける。登録画面の形状を指定する領域は、予め定められた複数の形状を選択可能に表示するリストを含む。ユーザーが操作部１６３を用いて複数の形状のいずれかを指示する操作を入力すれば、指示された形状を受け付ける。次のステップＳ３５においては、電子付箋の位置の指定を受け付ける。登録画面の位置を指定する領域は、表示部１６１の表示面の座標を入力する領域を含む。ユーザーが操作部１６３を用いて入力する座標を電子付箋の位置として受け付ける。
【００８６】
次のステップＳ３６においては、電子付箋情報を生成する。ステップＳ３２においてユーザーにより指定されたメイン画面の画面識別情報、ステップＳ３３においてユーザーにより入力された文字列、ステップＳ３４においてユーザーにより指定された形状、ステップＳ３５においてユーザーにより指定された位置を含む電子付箋情報を生成する。次のステップＳ３７においては、生成された電子付箋情報をＨＤＤ１１５に記憶し、処理を終了する。
【００８７】
以上説明したように、ＭＦＰ１００は、サブ画面３１１と関連付けられた遷移キー３０６を含むメイン画面３００が表示される段階で、メイン画面３００に重畳してメイン画面中の所定の位置に電子付箋３０９を表示し、メイン画面３００に含まれる遷移キー３０９が指示されると、遷移キー３０６に関連付けられたサブ画面３１１をメイン画面に重畳して表示し、電子付箋３０９に含まれる文字列がサブ画面に関連する名称の文字列の全てを含む場合、サブ画面が表示されるタイミングで、電子付箋の表示を中止する。また、電子付箋３０９に含まれる文字列「２ｉｎ１を利用する場合は、両面／ページ集約キーを押してください」に基づいてその電子付箋３０９に関連するサブ画面３１１を特定するので、電子付箋３０９と操作画面であるサブ画面３１１とを関連付ける必要がない。このため、電子付箋と操作画面とを関連付けることなく、操作画面が表示さるタイミングで電子付箋を表示しないようにすることができる。
【００８８】
具体的には、サブ画面３１１に関連付けられた遷移キー３０６に付された名称「両面／ページ集約」の文字列「２ｉｎ１を利用する場合は、両面／ページ集約キーを押してください」を含む電子付箋の表示を、そのサブ画面３１１が表示されるタイミングで中止することができる。
【００８９】
また、サブ画面３１１に含まれる設定値「２ｉｎ１」を設定するための設定キー３１３Ｂに付された名称「２ｉｎ１」の文字列、または設定値を示す設定項目３１３に付された名称「ページ集約」の文字列を含む電子付箋の表示を、そのサブ画面３１１が表示されるタイミングで中止することができる。
【００９０】
また、電子付箋に含まれる文字列が、ユーザーが設定した設定値の文字列の全てを含む場合、電子付箋の表示を中止する。このため、設定値が設定されるタイミングで電子付箋の表示を中止することができる。また、電子付箋が設定値の文字列を含むので、設定されるべき設定値を表示することができる。電子付箋を用いて設定値を記憶または伝達することができる。
【００９１】
＜変形例＞
図１２は、変形例におけるＭＦＰが備えるＣＰＵの機能の一例を示すブロック図である。図１２に示す機能は、変形例におけるＭＦＰ１００が備えるＣＰＵ１１１が、ＲＯＭ１１３、ＨＤＤ１１５またはＣＤ−ＲＯＭ１１８に記憶された変形例における操作支援プログラムを実行することにより、ＣＰＵ１１１に形成される機能である。
【００９２】
図１２を参照して、変形例におけるＭＦＰ１００が備えるＣＰＵ１１１が有する機能が、図４に示した機能と異なる点は、電子付箋登録部５３、電子付箋表示部６１および削除部６５がそれぞれ電子付箋登録部５３Ａ、電子付箋表示部６１Ａおよび削除部６５Ａに変更された点、ユーザー検出部６７が追加された点である。その他の機能は、図４に示した機能と同じなのでここでは説明を繰り返さない。
【００９３】
ユーザー検出部６７は、ＭＦＰ１００を操作するユーザーを検出する。具体的には、ユーザー検出部６７は、表示部１６１にログイン画面を表示し、ユーザー識別情報とパスワードとの入力を促す。ユーザーが操作部１６３にユーザー識別情報とパスワードとを入力すれば、操作受付部５１がユーザー識別情報とパスワードとを入力する操作を受け付けるので、ユーザー検出部６７は、その操作により特定されるユーザー識別情報とパスワードとを検出する。ユーザー検出部６７は、検出されたユーザー識別情報とパスワードとの組がＨＤＤ１１５に予め記憶されていれば、ユーザー識別情報で特定されるユーザーを、ＭＦＰ１００を操作するユーザーに特定し、そのユーザー識別情報を電子付箋登録部５３Ａおよび削除部６５Ａに出力する。
【００９４】
電子付箋登録部５３Ａは、表示部１６１に登録画面を表示し、操作受付部５１から電子付箋情報を登録する操作が入力されると、電子付箋情報をＨＤＤ１１５に記憶する。変形例における電子付箋情報は、電子付箋に記述される文字列と、電子付箋の形状と、表示部１６１の表示面中で電子付箋が配置される位置と、電子付箋情報を登録したユーザーのユーザー識別情報と、を含む。
【００９５】
電子付箋表示部６１Ａは、電子付箋登録部５３から１以上の電子付箋情報が入力され、メイン画面表示部５５から表示部１６１に表示されているメイン画面の画面識別情報が入力される。また、電子付箋表示部６１Ａは、設定部５９が設定値を設定する場合に設定部５９から設定された設定値が入力される。電子付箋表示部６１Ａは、メイン画面表示部５５からメイン画面の画面識別情報が入力されることに応じて、電子付箋登録部５３から入力される１以上の電子付箋情報を処理対象に設定し、電子付箋を、表示部１６１に表示されているメイン画面に重畳して表示する。
【００９６】
電子付箋表示部６１Ａは、優先表示部７１と、設定値比較部７７と、設定後中止部７９と、を含む。優先表示部７１は、電子付箋を表示している状態で、サブ画面表示部５７からサブ画面の画面識別情報が入力される場合、電子付箋を、サブ画面表示部５７によって表示部１６１に表示されたサブ画面に重畳して表示する。このため、サブ画面がサブ画面表示部５７によって表示部１６１に表示された段階で、電子付箋がユーザーによって視認可能になる。
【００９７】
設定値比較部７７は、設定部５９から設定値が入力される。設定値比較部７７は、表示部１６１に表示されている電子付箋に対応する電子付箋情報に含まれる文字列が、設定値を含むか否かを判断する。設定値比較部７７は、電子付箋情報に含まれる文字列が、設定値を含むと判断する場合、中止指示を設定後中止部７９に出力する。設定値比較部７７は、電子付箋情報に含まれる文字列が設定値の文字列の全てを含む場合に、電子付箋情報に含まれる文字列が設定値を含むと判断し、電子付箋情報に含まれる文字列が設定値の文字列の一部を含むが全部を含まない場合は電子付箋情報に含まれる文字列が設定値を含まない判断する。設定部５９から入力される設定値が複数の場合には、複数の設定値の少なくとも１つの文字列が電子付箋情報に含まれる文字列に含まれるならば、電子付箋情報に含まれる文字列が設定値を含むと判断する。
【００９８】
削除部６５Ａは、ユーザー検出部６７からユーザー識別情報が入力され、設定後中止部７９から電子付箋情報が入力された後、処理実行部６３から実行完了信号が入力される。削除部６５Ａは、実行完了信号が入力される場合、設定後中止部７９から入力される電子付箋情報に含まれるユーザー識別情報がユーザー検出部６７から入力されるユーザー識別情報と異なることを条件に、設定後中止部７９から入力される電子付箋情報を削除する。具体的には、電子付箋登録部５３によってＨＤＤ１１５に記憶された電子付箋情報のうち、設定後中止部７９から入力される電子付箋情報と同じ電子付箋情報をＨＤＤ１１５から消去する。電子付箋情報を登録したユーザーと異なるユーザーが、電子付箋情報に含まれる文字列で示される値の設定値を設定した場合に、その電子付箋情報を削除する。このため、電子付箋を他のユーザーに情報を伝達する手段として用いることができる。
【００９９】
また、電子付箋登録部５３Ａが登録する電子付箋情報に、登録したユーザーのユーザー識別情報とは別に、使用するユーザーのユーザー識別情報を追加するようにしてもよい。具体的には、電子付箋表示部６１Ａは、電子付箋情報に含まれる使用するユーザーのユーザー識別情報が、ユーザー検出部６７によって検出されたユーザーのユーザー識別情報と同じであることを条件に、電子付箋を表示部１６１に表示する。この場合には、登録したユーザーが指定した使用するユーザーがＭＦＰ１００を使用する場合に限って、電子付箋が表示される。また、削除部６５Ａは、実行完了信号が入力される場合、設定後中止部７９から入力される電子付箋情報を削除する。電子付箋表示部６１Ａによって電子付箋が表示されるのは、電子付箋情報に含まれる使用するユーザーのユーザー識別情報が、ユーザー検出部６７によって検出されたユーザーのユーザー識別情報と同じ場合なので、削除部６５Ａは、設定後中止部７９から入力される電子付箋情報に含まれるユーザー識別情報とユーザー検出部６７から入力されるユーザー識別情報とを比較する必要はない。
【０１００】
さらに、電子付箋登録部５３Ａが登録する電子付箋情報に、登録したユーザーのユーザー識別情報とは別に、使用するユーザーのユーザー識別情報を追加する場合、削除部６５Ａは、実行完了信号が入力される場合、設定後中止部７９から入力される電子付箋情報に含まれる使用するユーザーのユーザー識別情報がユーザー検出部６７から入力されるユーザー識別情報と同じであることを条件に、設定後中止部７９から入力される電子付箋情報を削除するようにしてもよい。この場合、電子付箋表示部６１Ａは、ユーザー検出部６７によって検出されたユーザーがいずれのユーザーであっても電子付箋を表示することができる。
【０１０１】
図１３は、変形例における操作支援処理の流れの位置を示すフローチャートである。変形例における操作支援処理が図１１に示した操作支援処理と異なる点は、ステップＳ０３がステップＳ０３Ａに変更された点、ステップＳ１２、ステップＳ１３、ステップＳ１８およびステップＳ１９が削除された点、ステップＳ４１およびステップＳ４２がステップＳ０１の前に追加された点、ステップＳ４３がステップＳ１５とステップＳ１６との間に追加された点である。その他の処理は図１１に示した操作支援処理と同じなのでこれは説明を繰り返さない。
【０１０２】
ステップＳ４１においては、ユーザーがログインしたか否かを判断する。ユーザーがログインするまで待機状態となり（ステップＳ４１でＮＯ）、ユーザーがログインしたならば（ステップＳ４１でＹＥＳ）、処理をステップＳ４２に進める。ステップＳ４２においては、ログインしたユーザーを特定し、処理をステップＳ０１に進める。
【０１０３】
ステップＳ０３Ａにおいては、電子付箋情報が存在するか否かを判断する。電子付箋情報がＨＤＤ１１５に記憶されているか否かを判断する。電子付箋情報が存在するならば処理をステップＳ０４に進めるが、そうでなければステップＳ０４をスキップして処理をステップＳ０５に進める。
【０１０４】
処理がステップＳ４３に進む場合は、ステップＳ１５において、表示が中止された電子付箋に対応する電子付箋情報のうちに、処理を実行するために用いた設定値の文字列を一部に含む電子付箋情報が存在する場合である。ステップＳ４３においては、ステップＳ１５において特定された電子付箋情報に含まれるユーザー識別情報で特定されるユーザーと、ステップＳ４２において特定されたユーザーとが異なるか否かを判断する。ステップＳ４２において特定されたユーザーは、ＭＦＰ１００を操作する操作ユーザーである。ステップＳ１５において特定された電子付箋情報に含まれるユーザー識別情報で特定されるユーザーは、その電子付箋情報を登録した登録ユーザーである。操作ユーザーと登録ユーザーとが異なるならば処理をステップＳ１６に進めるが、そうでなければ処理をステップＳ１７に進める。これにより、登録ユーザーが登録した電子付箋情報を用いて、操作ユーザーに電子付箋情報に含まれる文字列で特定される設定値を伝達することができる。また、設定値が操作ユーザーに伝達された後は、電子付箋情報を削除するので、再度同じ電子付箋情報が表示されることないようにすることができる。
【０１０５】
図１４は、変形例における電子付箋登録処理の流れの一例を示すフローチャートである。変形例における電子付箋登録処理が図１１に示した電子付箋登録処理と異なる点は、ステップＳ５１およびステップＳ５２が追加された点、ステップＳ３２が削除された点、ステップＳ３６がステップＳ３６Ａに変更された、である。その他の処理は図１１に示した電子付箋登録処理と同じなのでここでは説明を繰り返さない。
【０１０６】
ステップＳ５１においては、ユーザーがログインしたか否かを判断する。ユーザーがログインするまで待機状態となり（ステップＳ５１でＮＯ）、ユーザーがログインしたならば（ステップＳ５１でＹＥＳ）、処理をステップＳ５２に進める。ステップＳ５２においては、ログインしたユーザーを特定し、処理をステップＳ３１に進める。
【０１０７】
ステップＳ３６Ａにおいては、ステップＳ５２において特定されたユーザーのユーザー識別情報、ステップＳ３３においてユーザーにより入力された文字列、ステップＳ３４においてユーザーにより指定された形状、ステップＳ３５においてユーザーにより指定された位置を含む電子付箋情報を生成する。次のステップＳ３７においては、生成された電子付箋情報をＨＤＤ１１５に記憶し、処理を終了する。
【０１０８】
以上説明したように変形例におけるＭＦＰ１００は、所定の処理を実行するための設定値を表示する設定領域を含む設定画面を表示し、文字列を含む電子付箋を表示された設定画面に重畳して表示し、電子付箋に含まれる文字列が、ユーザーにより設定された設定値の文字列の全てを含む場合、電子付箋の表示を中止する。このため、設定値が設定されるタイミングで電子付箋の表示を中止することができる。また、電子付箋が設定値の文字列を含むので、設定されるべき設定値を表示することができる。
【０１０９】
例えば、Ａさんが登録した電子付箋情報に含まれる文字列に「Ｂさん、資料を５部コピーして下さい。」の文字列を含む場合、コピーの部数「５」を設定値として含む。この場合、コピー部数の設定値に「５」が設定される場合、電子付箋の表示が中止される。このため、Ａさんは、Ｂさんに対してコピー部数が５部であることを伝達することができ、Ｂさんは、電子付箋を見てコピー部数に設定値「５」を設定することができる。さらに、コピー部数の設定値「５」が設定された後は、電子付箋の表示が中止されるので、Ｂさんが設定画面を見やすくなる。また、例えば、Ａさんが登録した電子付箋情報に含まれる文字列に「Ｂさん、０３ー３３３３−３３３３に資料をＦＡＸして下さい。」の文字列を含む場合、送信先のファクシミリ番号「０３−３３３３−３３３３」を設定値として含む。この場合、ファクシミリの送信先の設定値に「０３−３３３３−３３３３」が設定される場合、電子付箋の表示が中止される。このため、Ａさんは、Ｂさんに対してファクシミリの送信先の番号を伝達することができ、Ｂさんは、電子付箋を見てファクシミリの送信先として「０３−３３３３−３３３３」を設定することができる。さらに、ファクシミリの送信先に「０３−３３３３−３３３３」が設定された後は、電子付箋の表示が中止されるので、Ｂさんが設定画面を見やすくなる。また、Ａさんが登録した電子付箋情報に含まれる文字列に「０３ー３３３３−３３３３に資料をＦＡＸ。」の文字列を含む場合、送信先のファクシミリ番号「０３−３３３３−３３３３」を設定値として含む。この場合、ファクシミリの送信先の設定値に「０３−３３３３−３３３３」が設定される場合、電子付箋の表示が中止される。このため、Ａさん、およびＡさん以外のユーザーに対してファクシミリの送信先の番号を伝達することができ、Ａさん、およびＡさん以外のユーザーは、電子付箋を見てファクシミリの送信先として「０３−３３３３−３３３３」を設定することができる。さらに、ファクシミリの送信先に「０３−３３３３−３３３３」が設定された後は、電子付箋の表示が中止されるので、設定画面を見やすくなる。
【０１１０】
また、電子付箋に含まれる文字列の一部の設定値が設定された後に所定の処理が実行されると、電子付箋を削除するので、処理が実行された後に、電子付箋が再度表示されないようにすることができる。
【０１１１】
さらに、電子付箋を登録した登録ユーザー（第１のユーザー）と、所定の処理の実行を指示した操作ユーザー（第２のユーザー）とが異なることを条件に、電子付箋を削除する。このため、操作ユーザーに設定値を確実に伝達することができる。
【０１１２】
なお、上述した実施の形態においては、画像処理装置の一例としてＭＦＰ１００を例に説明したが、図１０および図１１、または図１３および図１４に示した操作支援処理をＭＦＰ１００に実行させる操作支援方法、その操作支援方法をＭＦＰ１００を制御するＣＰＵ１１１に実行させる操作支援プログラムとして発明を捉えることができるのは言うまでもない。
【０１１３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１１４】
＜付記＞
（１）  前記処理実行手段は、データを設定値により定められた宛先に送信するデータ送信処理を実行し、
前記設定領域は、前記宛先を示す設定値を表示する領域である、請求項４〜７のいずれかに記載の画像処理装置。
（２）  前記処理実行手段は、データを設定値により定められた記憶位置に記憶するデータ記憶処理を実行し、
前記設定領域は、前記記憶位置を示す設定値を表示する領域である、請求項４〜７のいずれかに記載の画像処理装置。
（３）  前記処理実行手段は、データの画像を設定値により定められた部数だけ形成する画像形成処理を実行し、
前記設定領域は、前記部数を示す設定値を表示する領域である、請求項４〜７のいずれかに記載の画像処理装置。
【符号の説明】
【０１１５】
１００  ＭＦＰ、１１０  メイン回路、１１１  ＣＰＵ、１１２  通信Ｉ／Ｆ部、１１３  ＲＯＭ、１１４  ＲＡＭ、１１５  ＨＤＤ、１１６  ファクシミリ部、１１７  外部記憶装置、１２０  自動原稿搬送装置、１３０  原稿読取部、１４０  画像形成部、１５０  給紙部、１５５  後処理部、１６０  操作パネル、１６１  表示部、１６３  操作部、１６５  タッチパネル、１６７  ハードキー部、５１  操作受付部、５３，５３Ａ  電子付箋登録部、５５  メイン画面表示部、５７  サブ画面表示部、５９  設定部、６１，６１Ａ  電子付箋表示部、６３  処理実行部、６５，６５Ａ  削除部、６７  ユーザー検出部、７１  優先表示部、７３  名称比較部、７５  表示時中止部、７７  設定値比較部、７９  設定後中止部。
【図１】
0006341048.tif 000002
【図２】
0006341048.tif 000003
【図３】
0006341048.tif 000004
【図４】
0006341048.tif 000005
【図５】
0006341048.tif 000006
【図６】
0006341048.tif 000007
【図７】
0006341048.tif 000008
【図８】
0006341048.tif 000009
【図９】
0006341048.tif 000010
【図１０】
0006341048.tif 000011
【図１１】
0006341048.tif 000012
【図１２】
0006341048.tif 000013
【図１３】
0006341048.tif 000014
【図１４】
0006341048.tif 000015